(57)【要約】【課題】機器ケースに設けられた開口部を確実に露出させることができるカバー部材及びこれを用いた電子機器を提供する。【解決手段】電子機器の筐体に形成されたコネクタ用の開口部５１を覆うカバー５３は、本体部５４とこの本体部を筐体に対して回動可能に支持する支持部を有し、支持部は、本体部の内側面に立設されたＬ字形を成すアーム部５５１とアーム部５５１の先端部においてアーム部５５１に対して垂直に接続された丸棒状の回転軸部５５２を備える。そして、カバー５３は、前記回転軸部５５２を中心に回転することで、前記開口部５１を開閉可能である。【選択図】図５
2009005106.tif 000002
【特許請求の範囲】
【請求項１】
電子機器の筐体に形成された開口部を塞ぐカバー部材であって、
平面視して略長方形状をもつカバー本体と、
前記カバー本体の内側面の側縁部に立設され、且つその先端部が当該側縁部に沿って当該側縁部に直交する他の側縁部近傍まで伸びるアーム部と、
前記アーム部の先端部から前記他の側縁部に沿って前記カバー本体部から遠ざかる方向に延び、前記筐体に回動可能に取り付けられる回転軸部と、
を備えたことを特徴とするカバー部材。
【請求項２】
前記アーム部は、前記カバー本体の内側面の短手側縁部に立設されていることを特徴とする請求項１に記載のカバー部材。
【請求項３】
前記アーム部は、Ｌ字形状を成していることを特徴とする請求項１又は２に記載のカバー部材。
【請求項４】
筐体に開口部が形成された電子機器であって、
前記請求項１乃至３の何れか１項に記載のカバー部材を備えたことを特徴とする電子機器。
【請求項５】
前記開口部は、筐体の側面に形成され、
前記回転軸部は筐体の側面に沿ってその長手方向に延びている、
ことを特徴とする請求項４に記載の電子機器。
【請求項６】
前記筐体は、インナーケースと、このインナーケースを覆う外装ケースとを備え、
前記開口部は前記インナーケースに形成され、
前記インナーケースは、前記開口部の近傍に、前記アーム部を収納する第１の溝部と回転軸部を収納する第２の溝部とを有し、
前記開口部及び前記第１の溝部は、前記カバー部材で前記開口部を塞いだときに、カバー本体により覆われ、
前記第２の溝部は、前記回転軸部を収納した状態で前記外装ケースにより覆われている、
ことを特徴とする請求項４又は５に記載の電子機器。
【請求項７】
前記回転軸部は、前記第２の溝部内で溝の深さ方向に移動可能であることを特徴とする請求項６に記載の電子機器。
【発明の詳細な説明】
【技術分野】
【０００１】
本発明は、電子機器の筐体に設けられた開口部を塞ぐカバー部材及びこれを用いた電子機器に関する。
【背景技術】
【０００２】
従来、携帯電話等の電子機器では、携帯電話における電話機能のような機器本来の機能の他に、パソコンやメモリカード等との間のデータ転送機能をもつものも提供されている。
【０００３】
このような電子機器は、通常、各種のコネクタをもつ。これは、当該電子機器とパソコン等との接続を可能にし、前記データ転送機能等の実現を図るためである。また、電話機能やテレビ機能、あるいはラジオ機能等を備えた電子機器では、ユーザへの音声の伝達にスピーカではなく、ヘッドホン、あるいはイヤホン等を使用する場合もあるが、この場合にも、当該ヘッドホン等のためのコネクタが必要になる。これらのコネクタは、電子機器を構成する筐体の開口部に配置される。
【０００４】
また、上述のようなコネクタをもつ電子機器は、通常、上記開口部を塞ぐカバーをももつ。これは、前述のデータ転送機能、あるいはヘッドホン等を使用しない場合には、コネクタを外界から保護する必要があるからである。このカバーの存在によって、コネクタが、塵芥に晒されたり、あるいは直接的な衝撃力を受ける等といった事態の発生が未然に防止される。
【０００５】
このようなコネクタ及びそのカバーをもつ電子機器は、例えば特許文献１に開示されているようなものが知られている。
【特許文献１】特開２００６−１０９０６１号公報
【発明の開示】
【発明が解決しようとする課題】
【０００６】
特許文献１においては、外側カバー部及び内側カバー部をもつカバー部材が開示されている。このうち内側カバー部は、本体、舌片部、係合爪を有し、且つ、その弾性率が外側カバー部よりも弾性率が小さい（以上、特許文献１の〔請求項１〕等）。
【０００７】
しかしながら、特許文献１が開示する技術は、カバー部材を十分に開いた状態に保持できないという難点をもつ。例えば、特許文献１では、カバー部材の開き具合は、舌片部の弾性変形能力及び該舌片部に形成された長孔（当該カバー部材の引っ張り出し具合を規制する、いわばストッパとしての機能をもつ。特許文献１の〔００４２〕参照）の長さ如何によるから（以上、特許文献１の〔図４〕（ｂ）あるいは〔図６〕（a）等参照）、制約が比較的大きくかかっているといえる。したがって、かかる形態では、露出されたコネクタへのヘッドホン等の端子の接続作業性が、必ずしも最善とはいえないのである。
【０００８】
また、舌片部の弾性変形能力が適度に設定されていないと、上述の不具合がより増すおそれもある。というのも、コネクタが露出された後、ヘッドホン等の端子を接続しようとするときに、カバー部材が自発的に閉じてしまう（あるいは、閉じようとする）、という事象が発生するおそれがあるからである。このようであると、前記の接続作業性が更に悪化する可能性もある。
【０００９】
本発明は、上記事情に鑑みてなされたものであり、開口部を確実に露出させることができるカバー部材及びこれを用いた電子機器を提供することを目的とする。
【課題を解決するための手段】
【００１０】
上記目的を達成するため、本発明に係るカバー部材は、電子機器の筐体に形成された開口部を塞ぐカバー部材であって、平面視して略長方形状をもつカバー本体と、前記カバー本体の内側面の側縁部に立設され、且つその先端部が当該側縁部に沿って当該側縁部に直交する他の側縁部近傍まで伸びるアーム部と、前記アーム部の先端部から前記他の側縁部に沿って前記カバー本体部から遠ざかる方向に延び、前記筐体に回動可能に取り付けられる回転軸部と、を備えたことを特徴とする。
【００１１】
また、本発明に係るカバー部材では、前記アーム部は前記カバー本体の内側面の短手側縁部に立設されるように構成してもよい。
【００１２】
また、本発明に係るカバー部材では、前記アーム部はＬ字形状を成すように構成してもよい。
【００１３】
また、上記目的を達成するため、本発明に係る電子機器は、筐体に開口部が形成された電子機器であって、本発明のカバー部材を備えたことを特徴とする。
【００１４】
また、本発明に係る電子機器では、前記開口部は筐体の側面に形成され、前記回転軸部は筐体の側面に沿ってその長手方向に延びる、ように構成してもよい。
【００１５】
また、本発明に係る電子機器では、前記筐体は、インナーケースと、このインナーケースを覆う外装ケースとを備え、前記開口部は前記インナーケースに形成され、前記インナーケースは、前記開口部の近傍に、前記アーム部を収納する第１の溝部と回転軸部を収納する第２の溝部とを有し、前記開口部及び前記第１の溝部は、前記カバー部材で前記開口部を塞いだときに、カバー本体により覆われ、前記第２の溝部は、前記回転軸部を収納した状態で前記外装ケースにより覆われる、ように構成してもよい。
【００１６】
この態様では、前記回転軸部は、前記第２の溝部内で溝の深さ方向に移動可能である、ように構成してもよい。
【発明の効果】
【００１７】
以上のように、本発明によれば、電子機器の筐体に形成された開口部を塞ぐカバー部材が、平面視して略長方形状をもつカバー本体と、前記カバー本体の内側面の側縁部に立設され、且つその先端部が当該側縁部に沿って当該側縁部に直交する他の側縁部近傍まで伸びるアーム部と、前記アーム部の先端部から前記他の側縁部に沿って前記カバー本体部から遠ざかる方向に延び、前記筐体に回動可能に取り付けられる回転軸部と、を備えているので、回転軸部を中心としてカバー部材を回転させることによって、開口部を確実に露出させることができる。
【発明を実施するための最良の形態】
【００１８】
以下では、本発明の実施の形態について、図１及び図２を参照して説明する。本実施形態に係る携帯電話は、第１筐体１、第２筐体２及びヒンジ部３を備える。
【００１９】
第１筐体１は、比較的扁平な略直方体形状をもつ。この略直方体形状を構成する幅広面の一方には、図１に示すように、表示部１１が備えられている。この表示部１１は、例えば液晶表示装置等から構成される。この表示部１１には、図示はされないが、テレビ電波用の受像回路、あるいは画像信号処理回路等が接続され得る。
表示部１１の近傍（図１中上方）には、レシーバ１２が備えられている。レシーバ１２は、所定の電気信号を音声に変換する機能を持つ。
【００２０】
第２筐体２は、前記第１筐体１と同様、比較的扁平な略直方体形状をもつ。この第２筐体２は、フロントケース２８１及びリアケース２８２の２つの外装ケースを有する。いずれの外装ケース（２８１，２８２）も、長方形状の板状部分と当該板状部分の輪郭をなぞるように立つ側壁部分を含む。第２筐体２は、これらケース（２８１，２８２）双方の前記側壁部分の端面が相互に当接することによって、略直方体形状をもつことになる（図２参照）。
【００２１】
この第２筐体２の幅広面の一方には、図１あるいは図２に示すように、操作部２１が備えられている。この操作部２１は、テンキー２１１、カーソルキー２１２及び決定キー２１３を含む。
テンキー２１１は、０から９までの数字キーを含む。カーソルキー（十字キー）２１２は、カーソルを四方向に移動させることができるキーであり、例えば、表示部１１に比較的制限された幾つかの選択肢を含む機能選択メニューが表示されている場合に、その中から、ユーザに所望の選択肢を選んでもらう等といった用途に利用されると便利である。また、決定キー２１３は、カーソルキー２１２で選択された選択肢を決定する際等に利用するキーである。
なお、操作部２１は、上記の他、各種のアルファベットキー、エンターキー、ファンクションキー等の各種機能の実現を担うキーをも含み得る。
【００２２】
操作部２１の近傍（図１中下方）には、マイク２２が備えられている。このマイク２２は、前述のレシーバ１２とは逆に、当該携帯電話のユーザの声を受け取り、これを電気信号に変換する機能を持つ。
なお、このマイク２２は、音声が変換された電気信号（即ち、音声信号）を処理するための、適当な音声信号処理回路等に接続されうる。かかる事情は、前記のレシーバ１２についても同様である。
【００２３】
第２筐体２には更に、コネクタ部５及びインナーケース２７が備えられるが、このコネクタ部５等については、後に詳述する。
【００２４】
ヒンジ部３は、上述の第１筐体１及び第２筐体２を接続する。ヒンジ部３は、図１において明瞭には図示されない、２つの回転軸をもつ。このうちの一方の回転軸は、図１に示す軸Ａｘに平行なものであり、他方の回転軸は、軸Ｂｘに平行なものである。軸Ａｘに平行な回転軸によって、第１筐体１及び第２筐体２は、相対的に、図１に示す矢印Ａに示すような回転動作をすることが可能である。また、軸Ｂｘに平行な回転軸によって、第１筐体１は、図１に示す矢印Ｂに示すような回転動作をすることが可能である。
【００２５】
かかる基本的構成を備えた本実施形態の携帯電話では特に、前述のコネクタ部５に関わる構成について特徴がある。以下、これを図２乃至図５を参照して説明する。このコネクタ部５は、開口部５１、コネクタ５２及びコネクタカバー５３を含む。
【００２６】
開口部５１は、図４等に示すように、第２筐体２を構成するインナーケース２７の側面に形成されている。図では、その輪郭形状が長円形状（ここでは、長方形の両端それぞれに半円の直径部分を接続したかの如き形状を意味する。）をもつものとして示されている。
この長円形状たる輪郭形状は、図５に示すように、壁部５１１の縁によって形作られる。すなわち、開口部５１は、その内部に長円形状を形作るように取り囲む壁部５１１によって形作られているのである。
【００２７】
この開口部５１のインナーケース２７上における形成位置は、第２筐体２を構成するフロントケース２８１の側面の一部を切り欠いた切り欠き部２８１ａの形成位置とほぼ一致する（図２参照）。なお、図２では、この切り欠き部２８１ａほど明瞭には図示されないが、リアケース２８２についても同様の切り欠き部２８２ａが形成されている（図４参照）。これらの切り欠き部２８１ａ，２８２ａで囲まれる長方形状の領域は、コネクタカバー５３で前記開口部を覆った際に、コネクタカバー５３のカバー本体部５４が位置する領域である。
【００２８】
コネクタ５２は、開口部５１の形成位置に対応するように配置される（図２等参照）。コネクタ５２は、電気回路基板１００（ここでいう「電気回路」には、前述した受像回路、画像信号処理回路、音声信号処理回路その他の回路を含み得る。）の一部を構成する。コネクタ５２としては、様々な用途に対応したコネクタを用いることができる。より具体的には、例えば、（１）ヘッドホン、あるいはイヤホン等を接続するためのコネクタ、（２）パソコンを接続するためのコネクタ、（３）メモリカードを接続するためのコネクタ等である。（１）のコネクタによれば、前記レシーバ１２の代わりに、ヘッドホン等を利用して、受信した電波等に基づく音声を聴くことができる。（２）のコネクタによれば、当該携帯電話とパソコン等との間で所定のデータ通信規則に従ったデータ転送等を行うことができる。また、（３）のコネクタによれば、当該携帯電話のメモリ容量を簡単に増やすことができる。
【００２９】
コネクタカバー５３は、前述の開口部５１を覆うように配置可能である。このコネクタカバー５３は、カバー本体部５４と、カバー本体部５４を第２筐体２に対して回動可能に支持する支持部５５をもつ。
【００３０】
カバー本体部５４は、図３等に示すように、平面視して略長方形状であり、フロントケース２８１の側面に形成された切り欠き部２８１ａとリアケース２８２の側面に形成された切り欠き部２８２ａとで囲まれる領域の形状に対応している。
また、カバー本体部５４は、全体的にみて平板状の形態をもつ。ただし、本実施形態に係るカバー本体部５４は、その外表面が当該長方形状の短手方向に沿って若干湾曲している（図１参照）。これは、コネクタカバー５３で開口部５１を覆った際にその外表面が第２筐体２の側面と面一となるようにするためのものであって、意匠上の配慮によるものであるが、この程度の変形は、本発明にいう「平板形状」なる概念内に当然含まれる。
【００３１】
そして、カバー本体部５４の図３中手前側の縁の部分には、爪引っ掛け部５４１が形成されている。その実体は、カバー本体部５４の縁部から、その外表面に対して斜め方向に沿って突出した、長さの微小な舌片部である。
また、カバー本体部５４の図３中奥側の縁の部分には、コネクタカバー５３で開口部５１を覆った際にリアケース２８２の縁に係止される係止爪５４２が形成されている。この係止爪５４２は、カバー本体部５４の縁部から側方に突出した、長さの微小な舌片部である。
【００３２】
支持部５５は、図３等に示すように、カバー本体部５４の内側面に立設されたＬ字形を成すアーム部５５１と、アーム部５５１の先端部においてアーム部５５１に対して垂直に接続された丸棒状の回転軸部５５２とを有する。すなわち、本実施形態に係る支持部５５は、軸線が互いに直交する３つの軸を繋いだ形態をもつ（なお、図２においては、支持部５５自体は明瞭に図示されていないものの、当該支持部５５がどこに位置するかを表すための破線の円が表示されている。）。
【００３３】
アーム部５５１は、Ｌ字形の一方の辺を構成する第１の軸部５５１ａが、前記カバー本体部５４の内側面の短手側縁部の略中央部においてカバー本体部５４の内側面に対して略垂直に立ち、Ｌ字形の他方の辺を構成する第２の軸部５５１ｂが、前記短手側縁部に沿って爪引っ掛け部５４１が形成されている側から遠ざかる方向（係止爪５４２が形成されている側に近づく方向）に延びる構成となっている。
【００３４】
アーム部５５１は、上記のように、第１の軸部５５１ａがカバー本体部５４の内側面の短手側縁部の略中央部に立設するように取り付けられるが、その取付部５５１ｃは、図３に示すように、第１の軸部５５１ａの立設部から、カバー本体部５４の爪引っ掛け部５４１が形成されている側の縁部に沿って他方の短手側縁部の略中央部にまで延びており、カバー本体部５４の内側面に対して広い面積でもって接合される構成となっている。これにより、アーム部５５１とカバー本体部５４との接合は、より強固になる。なお、具体的な接合手段としては、接着剤や粘着材、両面テープ等を用いた貼り付け、超音波やレーザー等を用いた溶着、二色成形等、如何なるものを用いてもよい。
【００３５】
また、取付部５５１ｃの表面には、コネクタカバー５３で開口部５１を覆った際にインナーケース２７の側面に形成された係合穴２７１，２７２（図４参照）に挿入されて係合される係合突起５４３，５４４が形成されている。
【００３６】
回転軸部５５２は、その一端が、アーム部５５１の先端部（第２の軸部５５１ｂの先端部）に接続される。この回転軸部５５２は、アーム部５５１に垂直であり、カバー本体部５４の内側面に沿い、かつカバー本体部５４の長手方向であってカバー本体部５４から遠ざかる方向に延びる。
【００３７】
そして、回転軸部５５２の他端は、図３に示すように、円盤部５５２ａとなっている。この円盤部５５２ａの径は、それ以外の回転軸部５５２の残余の部分の径に比べて大きい。また、円盤部５５２ａは、完全な円形をもつのではなく、その一部を切り欠いた形状をもつ。切り欠かれる形状は、概ね三日月状である。その結果、円盤部５５２ａは、その輪郭の一部に直線部をもつ（当該直線部は、図３では手前側に図示されている。）。
【００３８】
以上述べた、カバー本体部５４及び支持部５５は、いずれもプラスチック材料から作られると好ましい。この場合、カバー本体部５４は、意匠的には、フロントケース２８１やリアケース２８２と同一の樹脂、カバーの開閉操作性からすると、硬質樹脂（例えばアクリロニトリル・ブタジエン・スチレン樹脂やポリカーボネート樹脂等）から作られるのがより好ましい。なお、フロントケース２８１やリアケース２８２は、通常、アクリロニトリル・ブタジエン・スチレン樹脂やポリカーボネート樹脂等の硬質樹脂から作られている。一方、支持部５５は、カバー本体部５４を構成する樹脂が上記の何れであっても、弾性樹脂（例えばポリエチレン系エラストマー樹脂等）から作られるのが好ましい。このようであると、コネクタカバー５３を開いているときにコネクタカバー５３に外力が加わった場合にも支持部５５が折れ難く、また、取付部５５１ｃの表面に形成された係合突起５４３，５４４とインナーケース２７の側面に形成された係合穴２７１，２７２との係合も良好となる。
なお、このように、カバー本体部５４及び支持部５５がプラスチック材料から構成されるときには、二色成形法を使用することによってカバー本体部５４と支持部５５とを一体的に成形することが可能であり、二色成形法は、このような場合のカバー本体部５４と支持部５５との接合手段として有効である。
【００３９】
前記の支持部５５は、図５に示すように、インナーケース２７の側面に形成された収納溝２９に収納される。収納溝２９は、正面視すればＬ字の形状をもつ（図では、その”Ｌ”を、左に横倒ししたかの如く示されている。）。このＬ字の一方の辺は、前記アーム部５５１を収納するための溝部２９ａ（以下、「縦溝」ということがある。）であり、他方の辺は、前記回転軸部５５２を収納するための溝部２９ｂ（以下、「横溝」ということがある。）である。
これら縦溝２９ａ及び横溝２９ｂの幅は、アーム部５５１及び回転軸部５５２の太さに応じて定まる。これら幅及び太さの両者はほぼ等しく設定されるのが、最も好ましい（勿論、「収納」溝であるから、両者間に適当なクリアランスが設定されるべきことは、言うまでもない。）。
【００４０】
また、この収納溝２９の深さは、主に前記アーム部５５１の第１の軸部５５１ａの長さに応じて定まる。ただし、これら深さないし長さは、開口部５１を取り囲む壁部５１１の端面とカバー本体部５４の内側面の少なくとも一部との当接可能性を喪失させないように定められる。
【００４１】
さらに、回転軸部５５２の一部たる前記円盤部５５２ａは、図５に示すように、収納溝２９内には収納されない。この円盤部５５２ａは、前記横溝２９ｂの端部からいわばはみ出す。これによって、円盤部５５２ａは、支持部５５が、回転軸部５５２の延在方向に沿って収納溝２９から飛び出すのを防止する、ストッパとしての機能を担う。
【００４２】
このような収納溝２９は、常態においては、コネクタカバー５３と第２筐体２の外形を形作るフロントケース２８１及びリアケース２８２によって覆い隠されている（図１及び図２参照）。より具体的には、縦溝２９ａはコネクタカバー５３のカバー本体５４により覆われ、横溝２９ｂはリアケース２８２により覆われ、円盤部５５２ａが位置する領域はフロントケース２８１及びリアケース２８２により覆われている。これにより、当該携帯電話の外見上の見栄えが損なわれることがない。また、外装ケース（２８１，２８２）は、支持部５５が、アーム部５５１の第１の軸部５５１ａの延在方向、ないしは当該方向にほぼ沿った方向に沿って収納溝２９から飛び出すのを防止するストッパという機能をもち、より実質的な役割をも担う。
【００４３】
次に、上述した携帯電話を構成するコネクタカバー５３の開閉動作について説明する。
まず、コネクタカバー５３は、常態においては、カバー本体５４が、フロントケース２８１の側面に形成された切り欠き部２８１ａとリアケース２８２の側面に形成された切り欠き部２８２ａとで囲まれる領域に位置し、図１に示すように閉じられている。このとき、係止爪５４２は、リアケース２８２の縁に係止され、係合突起５４３，５４４は、インナーケース２７の側面に形成された係合穴２７１，２７２に差し込まれて係止されている。また、この場合、このコネクタカバー５３の外表面は、第２筐体２を形作るフロントケース２８１及びリアケース２８２の面と同一面を構成し、両者は、意匠上一体的な外観を作り出す。
【００４４】
かかる閉状態から、コネクタ５２を外界に露出するためには、コネクタカバー５３を開く必要がある。この場合、まずユーザは、カバー本体部５４の図１中上縁部分に形成された爪引っ掛け部５４１に爪等を引っ掛け、外側方向へ力をかける。
そうすると、コネクタカバー５３は、当然、その上縁部分が外側に引っ張られる。これにより、係合突起５４３，５４４が係合穴２７１，２７２から抜け、支持部５５のアーム部５５１は収納溝２９の縦溝２９ａから引き出されるが、回転軸部５５２は、フロントケース２８１及びリアケース２８２の存在により、収納溝２９の横溝２９ｂから飛び出すことはない。
このような外側方向への力の作用、並びにフロントケース２８１及びリアケース２８２による支持部５５の動きの制約が働くことによって、コネクタカバー５３は結局、収納溝２９の一部を構成する横溝２９ｂ内で、回転軸部５５２を中心として回転するように動作する。
【００４５】
上記のように、係合突起５４３，５４４が係合穴２７１，２７２から抜けると、前記の爪等による外側方向への力、或いは、カバー本体部５４及びアーム部５５１の重み等により、コネクタカバー５３が回転軸部５５２を中心として回転するとともに、回転軸部５５２が収納溝２９の横溝２９ｂ内をスライドして外装ケース（２８１，２８２）側へ移動し、最終的には、図５に示すように、コネクタカバー５３は完全に開く。この開状態では、カバー本体部５４は、第２筐体２の側面に対して垂直となるように開き、しかも、第２筐体２の側面の下端側に押し下げられており、前記アーム部５５１がＬ字形であることが効果的に働いていることが分かる。
【００４６】
また、このような開状態の現出を可能とするためには、カバー本体部５４及びアーム部５５１の第１の軸部５５１ａを図５図中手前側に位置させる必要があるが、この点に関しては、アーム部５５１の第２の軸部５５１ｂだけでなく、回転軸部５５２がインナーケース２９の側面（側壁）に形成された横溝２９ｂ内で、インナーケース２９の側壁の厚み方向に移動可能な点、及び回動軸部５５２の端部に設けられている円盤部５５２ａがその輪郭の一部に直線部をもつ外形形状をもっており、且つその直線部がコネクタカバー５３を完全に開いたときに手前側となるようになっている点も寄与している。また、これらの構成は、アーム部５５１の第２の軸部５５１ｂの短尺化にも寄与している。
【００４７】
以上により結局、支持部５５の作用によって、コネクタ５２の正面には、何ら遮る物がない状態がつくり出されることになるのである（図５参照）。
なお、支持部５５が、前述のように、弾性樹脂から作られているならば、支持部５５が折れ難いだけでなく、図５の状態から更に、カバー本体部５４を、より向こう側にもっていったような状態を作り出すこともできる（図中破線の矢印参照）。これは、支持部５５が柔軟に弾性変形することが可能だからである。
【００４８】
一方、かかる開状態から再び先に述べた閉状態にするためには、コネクタカバー５３を上述した方向とは逆に回転させて、フロントケースの切り欠き部２８１ａ及びリアケース２８２の切り欠き部２８２ａで囲まれている領域に位置合わせした後、カバー本体部５４の内側面が壁部５１１の前面に当接するまでインナーケース２７側へ押し込めばよい。これにより、弾性を有する係合突起５４３，５４４が係合穴２７１，２７２に圧入されて、図１に示したような閉状態が実現される。
【００４９】
以上説明した、本実施形態によれば、次のような効果が奏される。
（１）  本実施形態に係るコネクタカバー５３は、カバー本体部５４を第２筐体２に対して回動可能に支持する支持部５５が、カバー本体部５４の内側面に立設されたＬ字形を成すアーム部５５１と、アーム部５５１の先端部においてアーム部５５１に対して垂直に接続された丸棒状の回転軸部５５２とを備え、回転軸部５５２を中心として回転することで開口部５１を開閉することから、大きな開口面積が確保されることになる。言い換えると、コネクタカバー５３の開状態において、コネクタ５２の前に、これを遮る物が何もない状態が作り出されることになるのである。
これにより、当該コネクタ５２に、例えばヘッドホン端子等を接続する作業を行う場合において、当該作業に適した、極めて良好な環境が提供されることになる。
【００５０】
（２）  また、図示した本実施形態に係るコネクタカバー５３の形態（特に、支持部５５の形態）によれば、第２筐体２の厚さが比較的小さい（つまり、当該第２筐体２が薄い）場合であっても、好適に対応することが可能であるという利点も得られる。この好適な対応の中には、そのような薄型の第２筐体２であるのに、上で説明したような、あるいは図５に端的に示されるような厚さ方向に関する開閉が可能であるとういことも含まれる。
【００５１】
（３）  また、本実施形態に係るコネクタカバー５３は、支持部５５が第２筐体２のインナーケース２７の側面（側壁）に形成されたＬ字形状の収納溝２９に収納され、支持部５５のアーム部５５１を収納する縦溝部２９ａがカバー本体部５４で覆われ、支持部５５の回転軸部５５２を収納する横溝部２９ｂが外装ケース２８１，２８２で覆われる構成であるので、外見上の見栄えが損なわれることがない。
また、支持部５５の回転軸部５５２が、横溝２９ｂ内でインナーケース２９の側壁の厚み方向に移動可能であるので、コネクタカバー５３を開いた祭に、回転軸部５５２が横溝２９ｂ内で固定されている場合よりも、カバー本体部５４及びアーム部５５１の第１の軸部５５１ａを第２筐体２の側面からより遠く離すことができ、また、コネクタカバー５３を閉じる祭には、係合穴２７１，２７２への係合突起５４３，５４４の圧入をよりスムーズに行うことができる。
【００５２】
（４）  さらに、本実施形態に係るコネクタカバー５３では、回転軸部５５２の一端の設けられている円盤部５５２ａが独自の効果を発揮する。すなわち、円盤部５５２ａの存在により、前述のように、支持部５５が収納溝２９から抜け出すことが防止されることから、コネクタカバー５３の安定した回転動作に大きく貢献する。さらに、円盤部５５２ａがその輪郭の一部に直線部をもつ外形形状をもっており、且つその直線部がコネクタカバー５３を完全に開いたときに図５図中手前側となるようになっているので、上述した、支持部５５の回転軸部５５２が横溝２９ｂ内でインナーケース２９の側壁の厚み方向に移動可能である構成と相俟って、カバー本体部５４及びアーム部５５１の第１の軸部５５１ａを第２筐体２の側面からより遠く離すことができる。
【００５３】
なお、本発明は上記実施形態にかかわらず、種々の変形が可能である。その変形例としては、例えば次のようなものがある。
（１）  上記実施形態では、第１筐体１及び第２筐体２の２つの筐体をもつ携帯電話に、本発明に係る「カバー部材」を適用する例について説明しているが、本発明はかかる形態に限定されるわけでは勿論ない。例えば、筐体が１つしかない場合であっても、当該筐体がコネクタを露出させるため等の開口部をもつのであれば、当然、本発明の適用は可能である。
【００５４】
（２）  上記実施形態では、支持部５５の具体的形態が、図３に示すようなものであることについて説明しているが、本発明に係る「支持部」は、かかる具体的形態を必ず採用しなければならないわけではない。例えば、アーム部５５１の第１の軸部５５１ａをカバー本体部５４の内側面の短手側縁部の略中央部に取り付けたが、図３中手前側や奥側に取り付けるようにしてもよい。第１の軸部５５１ａを手前側に設けた場合には、第２の軸部５５１ｂの長さを長くする必要があり、第１の軸部５５１ａを奥側に設けた場合には、第２の軸部５５１ｂの長さを短くすることができる。
【００５５】
また、場合によっては、アーム部の第１の軸部をカバー本体部５４の内側面の長手側縁部に垂直に立たせ、第２の軸部をカバー本体部５４の長手方向に沿って短手側の側縁部まで伸ばし、回転軸部を、第２の軸部に垂直な方向（カバー本体部５４の短手方向）であって且つ該カバー本体部５４から遠ざかる方向に伸ばす、などという形態もあり得てよい。この場合のコネクタカバーは、カバー本体部５４の短手方向を軸として回転するようにして、コネクタを露出させることとなる。
更にまた、上記実施形態では、前記カバー本体５４と回転軸部５５２とを連結するアーム部の形状をＬ字形状としたが、への字状や円弧状等他の形状としてもよい。
このように支持部の具体的形態は基本的に自由に設定し得る。
【００５６】
（３）  また、上記実施形態では、支持部５５のアーム部５５１を、インナーケース２７の側面（側壁）にＬ字形状に形成した収納溝２９の縦溝部２９ａに収納し、回転軸部５５２を横溝部２９ｂに収納する構成にしたが、回転軸部５５２を収納する収納部を、横溝に代えて縦溝部２９ａに連通する横穴にし、この横穴に回転軸部５５２を挿入する構成にしてもよい。この構成においても、回転軸部を回動可能に保持することは可能である。
【００５７】
（４）  また、上記実施形態では、コネクタカバー５３を開口部５１を覆った状態に保持する構成として、カバー本体５４の側縁部にリアケース２８２の縁に係止される係止爪５４２を設けるとともに、カバー本体５４の内側面（より正確には、カバー本体５４の内側面に取り付けられる支持部５５の取付部５５１ｃの表面）に、インナーケース２７の側面に形成された係合穴２７１，２７２に差し込まれて係止される係合突起５４３，５４４を設ける構成としたが、係合突起５４３，５４４の弾性変形能力が高い場合には、係止爪５４２を設けない構成にしてもよい。また、逆に、係合突起５４３，５４４に代えて、カバー本体５４において係止爪５４２が設けられてる側縁部に隣接する両側縁部、或いは対向する側縁部に、係止爪５４２と同様の係止爪を設け、この追加した係止爪と係止爪５４２とでコネクタカバー５３を保持する構成としてもよい。
【００５８】
（５）  また、上記実施形態では、コネクタカバー５５は開口部５１を覆うだけであり、防塵機能しか備えていなかったが、例えば開口部５１内に水が浸入することを防止するための防水機能をもたせることができる。
この防水機能をもたせたコネクタカバー５３Ｗとしては、例えば図６に示すような形態を採用することができる。このコネクタカバー５３Ｗは、コネクタカバー本体部５４の内側面に防水部６０をもつ。このコネクタカバー５３Ｗは、基本的には、図３等に示したコネクタカバー５３に防水部６０を追加したものであるが、後述するように、防水部６０が防水機能と共にコネクタカバー５３Ｗを開口部５１を覆った状態に保持する保持機能も有するので、コネクタカバー５３に設けられていた係合突起５４３，５４４は備えていない。
【００５９】
この防水部６０は、図６及び図７に示すように、その平面形状が開口部５１の輪郭形状とほぼ同一の長円形状である板状のパッキン支持部６２と、このパッキン支持部６２の側面を取り巻く環状のパッキン６１とを備える。なお、パッキン支持部６２の平面形状は開口部５１の輪郭形状とほぼ同一であるとはいっても、開口部５１の輪郭形状よりも一回り小さい。一方、パッキン支持部６２の側面を取り巻く環状のパッキン６１の外縁輪郭は、開口部５１の輪郭よりも一回り大きくなっている。そして、パッキン６１は、軟質の弾性体、例えばシリコンゴムから作られている。
【００６０】
このような防水部６０が存在すると、開口部５１内への浸水を防止することができる。というのも、前述したような外形形状をもつ防水部６０は、図７に示すように、開口部５１の開口端側に配置された後、開口部５１内に押し込まれ、一点差線で示すように、開口部５１内に埋め込まれた状態に配置されることになるからである。より正確には、パッキン６１がパッキン支持部６２の側面と開口部５１を形作る壁部５１１の内側面との間で圧縮されて、パッキン６１の外周面が壁部５１１の内側面に密に接するからである。
また、上記のように、防水部６０が開口部５１内に押し込まれ、パッキン６１がパッキン支持部６２の側面と開口部５１を形作る壁部５１１の内側面との間で圧縮されているので、コネクタカバー５３Ｗは開口部５１を覆った状態に保持される。従って、この構造においては、図３等に示したコネクタカバー５３において設けられていた係合突起５４３，５４４等の係止部材は、設ける必要は無い。
【００６１】
（６）  上記実施形態では、電子機器として携帯電話を例に挙げて説明を行っているが、その他にも、ノート型パーソナルコンピュータ、デジタルカメラ、腕時計、ＰＤＡ（Personal Digital Assistance）、電子手帳、携帯型無線機、その他の電子機器に本発明を適用することは当然可能である。
【図面の簡単な説明】
【００６２】
【図１】本発明の実施の形態に係る携帯電話を示す斜視図である。
【図２】第２筐体を分解して示す斜視図である。
【図３】コネクタカバーを示す斜視図である。
【図４】コネクタカバー及びその周辺の構造を示す斜視図であって、そのコネクタカバーが開かれた状態を示す図である。
【図５】図４の要部拡大図である。
【図６】防水部をもつコネクタカバーを示す斜視図である。
【図７】防水部によって開口部が防水される仕組み等を説明するための説明図である。
【符号の説明】
【００６３】
１・・・第１筐体、  １１・・・表示部、  １２・・・レシーバ、  ２・・・第２筐体、  ２１・・・操作部、  ２１１・・・テンキー、  ２１２・・・カーソルキー、  ２１３・・・決定キー、  ２２・・・マイク、  ２７・・・インナーケース、  ２７１，２７２・・・係合穴、  ２８１・・・フロントケース、  ２８２・・・リアケース、  ２９・・・収納溝、  ３・・・ヒンジ部、  ５・・・コネクタ部、  ５１・・・開口部、  ５１１・・・壁部、  ５２・・・コネクタ、  ５３，５３Ｗ・・・コネクタカバー、  ５４・・・カバー本体部、  ５４１・・・爪引っ掛け部、  ５４２・・・係止爪、  ５４３，５４４・・・係合突起、  ５５・・・支持部、  ５５１・・・アーム部、  ５５１ａ・・・第１の軸部、  ５５１ｂ・・・第２の軸部、  ５５１ｃ・・・取付部、  ５５２・・・回転軸部、  ５５２ａ・・・円盤部、  ６０・・・防水部、  ６１・・・パッキン、  ６２・・・パッキン支持部
【図１】
2009005106.tif 000003
【図２】
2009005106.tif 000004
【図３】
2009005106.tif 000005
【図４】
2009005106.tif 000006
【図５】
2009005106.tif 000007
【図６】
2009005106.tif 000008
【図７】
2009005106.tif 000009